(57)【要約】【課題】取付部材と被取付部材との間隔を調整することが出来、取付部材と被取付部材との傾きに対応することが出来るクリップ。【解決手段】クリップ(1)は、ピンフランジ(41)と、ピンフランジより小径の円柱部(42)と、円柱部より大径の径大部(44)とを有するピン(40)と；第１フランジ(11)と、前記第１フランジより小径の第１円筒部(12)とを有する第１グロメット(10)と;第２フランジ(21)と、第２フランジより小径で、第１グロメットの第１円筒部を収容する第２円筒部(22)とを有する第２グロメット(20)と;第３フランジ(31)と、第３フランジより小径で、第２グロメットの第２円筒部を収容する第３円筒部(32)とを有する第３グロメット(30)と;を備える。  ピンの円柱部と径大部とを第１グロメット内に押し込むことにより、第１円筒部と第２円筒部と第３円筒部とが拡径されて、取付部材と被取付部材とが取り付けられる。【選択図】図２８
2015096760.tif 000002
【特許請求の範囲】
【請求項１】
取付部材を被取付部材に取付けるためのクリップであって、
ピンフランジと、前記ピンフランジより小径の円柱部と、前記円柱部より大径の径大部とを有するピンと、
第１フランジと、前記第１フランジより小径の第１円筒部とを有し、前記ピンの前記円柱部と前記径大部とを収容する第１貫通孔が形成された第１グロメットと、
第２フランジと、前記第２フランジより小径の第２円筒部とを有し、前記第１グロメットの前記第１円筒部を収容する第２貫通孔が形成された第２グロメットと、
第３フランジと、前記第３フランジより小径の第３円筒部とを有し、前記第２グロメットの前記第２円筒部を収容する第３貫通孔が形成された第３グロメットと、
を備えることを特徴とするクリップ。
【請求項２】
請求項１に記載のクリップであって、
前記第１グロメットの前記第１円筒部は、複数の第１縦スリットにより周方向に分割され、
前記第２グロメットの前記第２円筒部は、複数の第２縦スリットにより周方向に分割され、
前記第３グロメットの前記第３円筒部は、複数の第３縦スリットにより周方向に分割され、
前記第１グロメットと前記第２グロメットと前記第３グロメットとを組み立ててグロメット組立体とし、前記ピンの前記円柱部と前記径大部とを、前記第１グロメットの前記第１貫通孔に押し込むことにより、前記第１グロメットの前記第１円筒部と、前記第２グロメットの前記第２円筒部と、前記第３グロメットの前記第３円筒部とが拡径されるクリップ。
【請求項３】
請求項１又は２に記載のクリップであって、
前記第２グロメットは、前記第２円筒部の外周面に雄ねじ部を有し、
前記第３グロメットは、前記第２円筒部を収容する前記第３貫通孔の内周面に、前記雄ねじ部と係合する雌ねじ部を有し、
前記雄ねじ部と前記雌ねじ部とを係合させる位置を変えることにより、前記第３グロメットに対する前記第２グロメットの軸方向の位置を調節することが出来るクリップ。
【請求項４】
請求項１乃至３の何れか１項に記載のクリップであって、
前記第１グロメットの第１円筒部は、前記第１フランジに隣接した筒状の筒部と、球状の球状部を有し、
前記第２グロメットは、前記第２貫通孔の内面に、下方に行くに従って半径が狭くなる第２傾斜部と、前記第２傾斜部の下方に前記球状部を収容するための球状空間部を有し、前記球状空間部内で、前記球状部を回転移動させることができ、前記第２グロメットに対して前記第１グロメットを傾けることが出来るクリップ。
【請求項５】
請求項４に記載のクリップであって、
前記第１グロメットの前記球状部の外面に複数のくぼみが形成され、
前記第２グロメットの前記球状空間部の内面に、前記くぼみが係合することの出来る複数の突起が形成され、
前記くぼみに前記突起が係合し、前記球状空間部に対する前記球状部の位置が固定され、前記第２グロメットに対して前記第１グロメットの位置が固定されるクリップ。
【請求項６】
請求項４又は５に記載のクリップであって、
前記第２グロメットは、２つの円周方向端面を有する２つの半円筒部材からなり、２つの前記半円筒部材の前記円周方向端面を当接させて組み合わせて、前記第２グロメットを形成するクリップ。
【請求項７】
請求項６に記載のクリップであって、
前記半円筒部材は、一方の円周方向端面に突部を有し、他方の円周方向端面に前記突部を収容することの出来る凹部を有し、１つの前記半円筒部材の前記突部を、もう１つの前記半円筒部材の前記凹部に係合させることにより、２つの前記半円筒部材を組み合わせて前記第２グロメットを形成するクリップ。
【請求項８】
請求項４乃至７の何れか１項に記載のクリップであって、
前記第１グロメットの前記球状部の内側は、内径が次第に狭くなる第１傾斜部が形成され、
前記ピンを押し込んでいくと、前記ピンの前記径大部により、前記第１傾斜部が押し広げられ、
前記ピンの前記径大部が前記球状部の外に出ると、前記球状部の内径が小さくなり、前記径大部の段部が前記球状部の下面に当接して、前記ピンが抜け止めされるクリップ。
【請求項９】
請求項１乃至８の何れか１項に記載のクリップであって、
前記ピンフランジと、前記第１フランジとの間に取付部材を挟み、
前記第３フランジと、拡径した第３円筒部との間に被取付部材を挟むクリップ。
【請求項１０】
取付部材を被取付部材に取付けるため、ピンと共にクリップを形成するグロメット組立体であって、
第１フランジと、前記第１フランジより小径の第１円筒部とを有し、前記ピンを収容する第１貫通孔が形成された第１グロメットと、
第２フランジと、前記第２フランジより小径の第２円筒部とを有し、前記第１グロメットの前記第１円筒部を収容する第２貫通孔が形成された第２グロメットと、
第３フランジと、前記第３フランジより小径の第３円筒部とを有し、前記第２グロメットの前記第２円筒部を収容する第３貫通孔が形成された第３グロメットと、
を備えることを特徴とするグロメット組立体。
【請求項１１】
請求項１０に記載のグロメット組立体であって、
前記第２グロメットは、２つの円周方向端面を有する２つの半円筒部材からなり、２つの前記半円筒部材の前記円周方向端面を当接させて組み合わせて、前記第２グロメットを形成するグロメット組立体。
【発明の詳細な説明】
【技術分野】
【０００１】
本発明は、自動車のパネル等の被取付部材に、インナーパネル等の取付部材を取付けるのに用いるクリップに関する。より詳しくは、第１グロメットと、第２グロメットと、第３グロメットと、ピンとからなるクリップに関する。
【背景技術】
【０００２】
一般に、自動車のパネル等の被取付部材にインナーパネル等の取付部材を取付けるのにクリップが多く用いられている。このようなクリップは、被取付部材の取付孔に取り付けられるグロメットと、グロメットの中心孔に収容されるピンとからなる。グロメットを被取付部材の取付孔に挿入し、被取付部材の取付孔と取付部材の取付孔との位置を合わせ、取付部材の取付孔を通してグロメットの中心孔内にピンを挿入し、取付部材を固定する。
【０００３】
特許文献１は、ドアのインナーパネル（被取付部材）とドアトリム（取付部材）との間に挿入される隙間調整クリップを開示する。このクリップは、軸心に孔部を有し、インナーパネルに係止されるインナークリップと、インナークリップの孔部に挿入するアジャストクリップとからなる。アジャストクリップは、孔部への挿入長さを多段階に調整可能な軸部と、ドアトリムを裏側から押圧する顎部とを有する。ドアトリムをスペーサが当接されたインストルメントパネルに衝撃的に押し付けて、軸部のインナークリップの孔部への挿入長さを調整して、インナーパネルとドアトリムとの間隔を調整する。
【０００４】
特許文献１のクリップは、アジャストクリップの軸部には、複数の環状突起が形成される。インナークリップの環状突起に、アジャストクリップの軸部の何れかの環状突起が係合し、インナークリップの孔部へ、アジャストクリップの軸部の挿入長さを多段階に調整することが出来る。
【０００５】
特許文献１のクリップは、アジャストクリップの軸部の挿入長さを調整し、インナーパネルとドアトリムとの間の間隔を調整することができる。しかし、インナーパネルとドアトリムとが平行でなく、傾いている場合は、対応することは出来ない。
【０００６】
特許文献２は、取着材（取付部材）に支持される支持部材と、支持部材に接続された係止ピンと、被取着材（被取付部材）に取り付けたキャップとからなるリテーナを開示する。係止ピンはピン体の一端に球形の係止頭部を有し、他端に球部を有する。支持部材に形成された嵌入孔に係止ピンの球部を嵌め込んで、ボールジョイントが構成される。キャップには、ピン体を挿入する挿入孔と、その奥の係止ピンの係止頭部を係止する係止孔が形成される。係止ピンの係止頭部をキャップの係止孔に押し込み、取着材を被取着材に固定する。
【０００７】
特許文献２では、ボールジョイントにより係止ピンが支持部材に対して自由に傾くことが出来る。そのため、係止ピンとキャップの位置がずれていても、係止ピンが傾いてキャップにスムーズに押し込むことが出来る。また、取着材の取付孔と被取着材の取付孔とが傾いていても、取り付けることが出来る。
しかし、特許文献２のリテーナは、係止ピンの球部が支持部材の嵌入孔に係合する位置と、係止ピンの係止頭部がキャップの係止孔に係合する位置とは決まっている。そのため、取着材と被取着材との隙間距離を調整することが出来ない。
【０００８】
このように、特許文献１のクリップは、取付部材と被取付部材との隙間距離を調整することが出来る。特許文献２のクリップは、取付部材の取付孔と被取付部材の取付孔との位置ずれと傾きに対応することが出来る。しかし、取付部材と被取付部材との隙間距離を調整することが出来、且つ取付部材と被取付部材との傾きに対応することが出来るクリップはなかった。
【０００９】
そのため、取付部材と被取付部材との隙間距離を調整することが出来、且つ取付部材と被取付部材との傾きにも対応することが出来るクリップが求められていた。
【先行技術文献】
【特許文献】
【００１０】
【特許文献１】特開２００４−１７６８９７号公報
【特許文献２】実開平４−１０１０６号公報
【発明の概要】
【発明が解決しようとする課題】
【００１１】
従って、本発明の目的は、取付部材と被取付部材との間隔距離を調整することが出来、取付部材と被取付部材との傾きに対応することが出来るクリップを提供することである。
【課題を解決するための手段】
【００１２】
この目的を達成するため、本発明の第１の態様は、取付部材を被取付部材に取付けるためのクリップであって、
ピンフランジと、前記ピンフランジより小径の円柱部と、前記円柱部より大径の径大部とを有するピンと、
第１フランジと、前記第１フランジより小径の第１円筒部とを有し、前記ピンの前記円柱部と前記径大部とを収容する第１貫通孔が形成された第１グロメットと、
第２フランジと、前記第２フランジより小径の第２円筒部とを有し、前記第１グロメットの前記第１円筒部を収容する第２貫通孔が形成された第２グロメットと、
第３フランジと、前記第３フランジより小径の第３円筒部とを有し、前記第２グロメットの前記第２円筒部を収容する第３貫通孔が形成された第３グロメットと、
を備えることを特徴とするクリップである。
【００１３】
第１グロメットと第２グロメットと第３グロメットとの３つの部品を組み合わせてグロメット組立体とすると、第２グロメットに対して第１グロメットを傾ける、第３グロメットに対して第２グロメットの軸方向位置を調節することができるという２つの機能を持たせることが出来る。
【００１４】
前記第１グロメットの前記第１円筒部は、複数の第１縦スリットにより周方向に分割され、
前記第２グロメットの前記第２円筒部は、複数の第２縦スリットにより周方向に分割され、
前記第３グロメットの前記第３円筒部は、複数の第３縦スリットにより周方向に分割され、
前記第１グロメットと前記第２グロメットと前記第３グロメットとを組み立ててグロメット組立体とし、前記ピンの前記円柱部と前記径大部とを、前記第１グロメット内に押し込むことにより、前記第１グロメットの前記第１円筒部と、前記第２グロメットの前記第２円筒部と、前記第３グロメットの前記第３円筒部とが拡径されることが好ましい。
【００１５】
第３グロメットの第３円筒部が拡径されると、第３グロメットの第３フランジと、拡径した第３円筒部との間に、被取付部材を挟むことが出来る。
【００１６】
前記第２グロメットは、前記第２円筒部の外周面に雄ねじ部を有し、
前記第３グロメットは、前記第２円筒部を収容する前記第３貫通孔の内周面に、前記雄ねじ部と係合する雌ねじ部を有し、
前記雄ねじ部と前記雌ねじ部とを係合させる位置を変えることにより、前記第３グロメットに対する前記第２グロメットの軸方向の位置を調節することが出来ることが好ましい。
【００１７】
第３グロメットに対する前記第２グロメットの軸方向の位置を調節することが出来ると、被取付部材と取付部材との隙間距離を調整することができる。
【００１８】
前記第１グロメットの前記第１円筒部は、前記第１フランジに隣接した筒状の筒部と、球状の球状部を有し、
前記第２グロメットは、前記第２貫通孔の内面に、下方に行くに従って半径が狭くなる第２傾斜部と、前記第２傾斜部の下方に前記球状部を収容するための球状空間部を有し、前記球状空間部内で、前記球状部を回転移動させることができ、前記第２グロメットに対して前記第１グロメットを傾けることが出来ることが好ましい。
【００１９】
第２グロメットに対して第１グロメットを傾けることが出来ると、被取付部材に対して取付部材が傾いていても、取り付けることが出来る。
【００２０】
前記第１グロメットの前記球状部の外面に複数のくぼみが形成され、
前記第２グロメットの前記球状空間部の内面に、前記くぼみが係合することの出来る複数の突起が形成され、
前記くぼみに前記突起が係合し、前記球状空間部に対する前記球状部の位置が固定され、前記第２グロメットに対して前記第１グロメットの位置が固定されることが好ましい。
【００２１】
くぼみに突起が係合し、球状空間部に対する球状部の位置が固定されると、被取付部材に対して取付部材が傾いた状態で固定することができる。
【００２２】
前記第２グロメットは、２つの円周方向端面を有する２つの半円筒部材からなり、２つの前記半円筒部材の前記円周方向端面を当接させて組み合わせて、円筒形の第２グロメットを形成することが好ましい。
【００２３】
２つの半円筒部材を組み合わせて第２グロメットを形成することにより、第１グロメットの球状部を球状空間部に収容した状態で組み立てることが出来る。
【００２４】
前記半円筒部材は、一方の円周方向端面に突部を有し、他方の円周方向端面に前記突部を収容することの出来る凹部を有し、１つの前記半円筒部材の前記突部を、もう１つの前記半円筒部材の前記凹部に係合させることにより、２つの前記半円筒部材を組み合わて第２グロメットを形成することが好ましい。
【００２５】
１つの半円筒部材の突部と、もう１つの半円筒部材の凹部とを係合させることにより、２つの半円筒部材を外れないように組み合わせることが出来る。
【００２６】
前記第１グロメットの前記球状部の内側は、内径が次第に狭くなる第１傾斜部が形成され、
前記ピンを押し込んでいくと、前記ピンの前記径大部により、前記第１傾斜部が押し広げられ、
前記ピンの前記径大部が前記球状部の外に出ると、前記球状部の内径が小さくなり、前記径大部の段部が前記球状部の下面に当接して、前記ピンが抜け止めされることが好ましい。
【００２７】
ピンが抜け止めされると、取付部材を取り付けた状態を維持することが出来る。
【００２８】
前記ピンフランジと、前記第１フランジとの間に取付部材を挟み、
前記第３フランジと、拡径した第３円筒部との間に被取付部材を挟むことが好ましい。
【００２９】
被取付部材を挟む部材と、取付部材を挟む部材とが異なるので、被取付部材と取付部材とが間隔をあけるように取り付けることが出来る。
【００３０】
本発明の第２の態様は、取付部材を被取付部材に取付けるため、ピンと共にクリップを形成するグロメット組立体であって、
第１フランジと、前記第１フランジより小径の第１円筒部とを有し、前記ピンを収容する第１貫通孔が形成された第１グロメットと、
第２フランジと、前記第２フランジより小径の第２円筒部とを有し、前記第１グロメットの前記第１円筒部を収容する第２貫通孔が形成された第２グロメットと、
第３フランジと、前記第３フランジより小径の第３円筒部とを有し、前記第２グロメットの前記第２円筒部を収容する第３貫通孔が形成された第３グロメットと、
を備えることを特徴とするグロメット組立体である。
【００３１】
第１グロメットと第２グロメットと第３グロメットとからなるグロメット組立体は、ピンを挿入する距離、ピンを挿入する角度を調整して、取付部材を被取付部材に取付けることが出来る。
【発明の効果】
【００３２】
本発明によれば、取付部材と被取付部材との隙間距離を調整することが出来、且つ取付部材と被取付部材との傾きに対応することが出来るクリップを得ることが出来る。
【図面の簡単な説明】
【００３３】
【図１】本発明の実施形態のクリップの第１グロメットの斜視図である。
【図２】図１の第１グロメットの上面図である。
【図３】図１の第１グロメットの正面図である。
【図４】図１の第１グロメットの右側面図である。
【図５】図１の第１グロメットの底面図である。
【図６】図１の第１グロメットの図４のＡ−Ａ線に沿った断面図である。
【図７】本発明の実施形態のクリップの第２グロメットの半円筒部材の斜視図である。
【図８】図７の第２グロメットの半円筒部材の上面図である。
【図９】図７の第２グロメットの半円筒部材の正面図である。
【図１０】図７の第２グロメットの半円筒部材の右側面図である。
【図１１】図７の第２グロメットの半円筒部材の底面図である。
【図１２】図７の第２グロメットの半円筒部材の裏面図である。
【図１３】本発明の実施形態のクリップの第３グロメットの斜視図である。
【図１４】図１３の第３グロメットの上面図である。
【図１５】図１３の第３グロメットの正面図である。
【図１６】図１３の第３グロメットの底面図である。
【図１７】図１３の第３グロメットの図１５のＢ−Ｂ線に沿った断面図である。
【図１８】本発明の実施形態のクリップのピンの斜視図である。
【図１９】図１８のピンの上面図である。
【図２０】図１８のピンの正面図である。
【図２１】図１８のピンの底面図である。
【図２２】本発明の実施形態の第１、第２、第３グロメットを組み立てたグロメット組立体の上面図である。
【図２３】図２２のグロメット組立体の正面図である。
【図２４】図２２のグロメット組立体の底面図である。
【図２５】図２２のグロメット組立体の図２２のＣ−Ｃ線に沿った断面図である。
【図２６】本発明の実施形態のクリップの第１、第２、第３グロメット、ピンの分解斜視図である。
【図２７】本発明の実施形態のクリップにより、取付孔が合っている取付部材を被取付部材に取付けた状態を示す断面図である。
【図２８】本発明の実施形態のクリップにより、取付孔の軸線が傾いた取付部材を被取付部材に取付けた状態を示す断面図である。
【発明を実施するための形態】
【００３４】
以下、本発明の実施形態について、図面を参照して説明する。本発明の実施形態によるクリップ1は、図１〜６に示す第１グロメット10と、図７〜１２に示す第２グロメット20の半円筒部材20aを２個と、図１３〜１７に示す第３グロメット30と、図１８〜２１に示すピン40とからなる。
図２２〜２５は、第１グロメット10と、２個の半円筒部材20aからなる第２グロメット20と、第３グロメット30とを組み立てたグロメット組立体を示す。図２５の上方向を上として説明する。図２５の中心線を中心軸とする。半円筒部材20aを２つ組み合わせた第２グロメットは参照番号20で示す。
図２６は、クリップ1の第１グロメット10と、２個の半円筒部材20aからなる第２グロメット20と、第３グロメット30と、ピン40との分解斜視図である。
【００３５】
（第１グロメット）
図１〜６を参照して、本発明の実施形態によるクリップ1の第１グロメット10について説明する。図１は、第１グロメット10の斜視図である。図２は上面図、図３は正面図、図４は右側面図、図５は底面図である。図６は第１グロメット10の図４のＡ−Ａ線に沿った断面図である。
第１グロメット10は、上方の端部に孔のあいた円板状の第１フランジ11を有する。第１フランジ11から下方向に第１フランジ11より小さい外径の第１円筒部12が延びる。第１円筒部12は、第１フランジ11に隣接して筒状の筒部12aと、球状の球状部13を有する。球状部13の直径は、第１フランジ11と球状部13の間の筒部12aの直径より大きい。円周方向に等間隔で縦方向に４本の第１縦スリット16が延び、第１円筒部12は、第１縦スリット16により４分割されている。第１縦スリットの数は４本に限定されない。
【００３６】
球状部13の外面には、球面全体にわたって複数のくぼみ13aが形成されている。図示の実施形態では、４分割された１つの球状部13に、１４個のくぼみ13aが形成されている。くぼみ13aの数は１４個に限定されない。
【００３７】
球状部13の下端部13cは平面であり、後述するようにピン40の径大部44の段部44aが係合して、ピン40が抜け止めされるようになっている。
第１フランジ11と第１円筒部12との内側には、縦方向に第１貫通孔h10が形成されている。図４のＡ−Ａ断面図である図６に示すように、筒部12aの内径は一定である。球状部13の内形は下方に向かって狭くなる第１傾斜部14と、その下側の内径の小さい細孔部15となっている。
【００３８】
（第２グロメット）
図７〜１２を参照して、クリップ1の第２グロメット20の半円筒部材20aについて説明する。図７は、クリップ1の第２グロメット20の半円筒部材20aの斜視図である。図８は上面図、図９は正面図、図１０は右側面図、図１１は底面図、図１２は裏面図である。第２グロメット20の半円筒部材20aは半円筒形であり、半円筒部材20aを２個組み合わせて円筒形の第２グロメット20を形成する。
第２グロメット20の半円筒部材20aは、上方の端部に孔のあいた半分の円板状の第２フランジ21を有する。第２フランジ21から下方向に第２フランジ21より小径の第２円筒部22が延びる。第２円筒部22には軸方向に１本の第２縦スリット26が形成され、第２円筒部22を円周方向に２分割している。第２縦スリットの数は１本に限定されない。
【００３９】
図１０、１２に示すように、第２円筒部22の外周面の一部に雄ねじ部27が形成されている。雄ねじ部27は、第３グロメット30の雌ねじ部37と係合する。
第２円筒部22の下側には、端部に端部テーパ部25が形成されている。端部テーパ部25は、第２グロメット20の第２円筒部22を被取付部材の取付孔に挿入するときのガイドとして作用する。
【００４０】
半円筒部材20aの第２フランジ21と第２円筒部22と端部テーパ部25との円周方向端面29は、軸方向に平行な平面であり、半円筒形の２つの半円筒部材20aの円周方向端面29を合わせて、組み合わせることにより、円筒形の第２グロメット20になる。
半円筒部材20aの一方の円周方向端面29には、突部28aが形成され、他方の円周方向端面29には突部28aを収容することが出来る凹部28bが形成されている。１つの半円筒部材20aの突部28aを、もう１つの半円筒部材20aの凹部28bにはめ込んで、円周方向端面29同士を合わせて、２つの半円筒部材20aを組み合わせて第２グロメット20を形成することが出来る。
【００４１】
以下、２つの半円筒部材20aを組み合わせた第２グロメット20について説明する。２つの半円筒部材20aを組み合わせた第２グロメット20は、第２円筒部22の内側に第２貫通孔が形成される。第２貫通孔は、第２フランジ21から下方に半径が狭くなるようにテーパが付いた第２傾斜部24が形成されている。
第２傾斜部24の下側には、球状空間部23が形成されている。球状空間部23の内径は、第１グロメット10の球状部13の外径とほぼ等しく、球状空間部23の内側に球状部13を収容することが出来る。球状空間部23の中で球状部13を回転移動させることができ、球状空間部23の上はテーパが付いた第２傾斜部24なので、第１グロメット10の第１円筒部12は、第２傾斜部24のテーパの範囲で傾くことが出来る。そのため、第１グロメット10に対する第２グロメット20の角度を変化させることができるようになっている。
【００４２】
球状空間部23には複数（図示の例では２つ）の突起23bが設けられている。突起23bは、第１グロメット10の球状部13のくぼみ13aに係合し、移動しないように固定される。第１グロメット10に対する第２グロメット20の角度を変化させて、角度を決めて固定することが出来る。
【００４３】
（第３グロメット）
図１３〜１７を参照して、クリップ1の第３グロメット30について説明する。図１３は、クリップ1の第３グロメット30の斜視図である。図１４は上面図、図１５は正面図、図１６は底面図、図１７は第３グロメット30の図１５のＢ−Ｂ線に沿った断面図である。
【００４４】
第３グロメット30は、上方の端部に孔のあいた円板状の第３フランジ31を有する。第３フランジ31から下方向に第３フランジ31より小径の第３円筒部32が軸方向に延びる。
第３フランジ31と第３円筒部32との内側に第３貫通孔h30が延びる。第３貫通孔h30の第３円筒部32の内径は、第２グロメット20の第２円筒部22の外径に適合し、第３円筒部32の内側に第２グロメット20の第２円筒部22を収容できるようになっている。第３貫通孔h30の内径は、第２グロメット20の第２フランジ21の外径より小さい。第２グロメット20の第２フランジ21の下面が、第３グロメット30の第３フランジ31の上面に当接すると、第２グロメット20は、下方に移動しないようになっている。
円周方向に等間隔に３本の第３縦スリット36が延び、第３円筒部32は、第３縦スリット36により、円周方向に３分割されている。第３縦スリットの数は３本に限定されない。
【００４５】
図１３、図１５のＢ-Ｂ断面図である図１７に示すように、第３円筒部32の内側には、円周方向に１本の雌ねじ部37が形成され、雌ねじ部37は、第２グロメット20の第２円筒部22の外面に形成された雄ねじ部27と係合することが出来る。第３グロメット30に対して第２グロメット20を回転させることにより、第３グロメット30に対する第２グロメット20の軸方向位置を調整することが出来る。
【００４６】
（ピン）
図１８〜２１を参照して、クリップ1のピン40について説明する。図１８は、クリップ1のピン40の斜視図である。図１９は上面図、図２０は正面図、図２１は底面図である。
ピン40は、上方の端部に円板状のピンフランジ41を有する。ピンフランジ41から下方向にピンフランジ41より小径の円柱状の円柱部42が延びる。円柱部42の外径は、第１グロメット10の第１貫通孔h10の内径に適合する。
【００４７】
円柱部42の下側には、半径が次第に細くなる遷移部43が形成されている。
遷移部43の下側には、円柱部42より大きい外径の径大部44が形成されている。径大部44の上端部は、軸方向に直角な段部44aが形成される。段部44aは、第１グロメット10の球状部13の下端部13cに係合し、抜け止めされるようになっている。
径大部44の下側には、先端に向かって外径が細くなるピンテーパ部45が形成されている。ピンテーパ部45の下面は平面である。
【００４８】
（グロメット組立体）
次に、第１グロメット10と第２グロメット20と第３グロメット30とを組み立てたグロメット組立体について説明する。図２２は、グロメット組立体の上面図である。図２３は正面図、図２４は下面図である。図２５は、グロメット組立体の図２２のＣ−Ｃ線に沿った断面図である。
【００４９】
クリップ1の分解斜視図である図２６に示すように、グロメット組立体を組み立てるには、まず２つの半円筒部材20aと、第１グロメット10とを、第２フランジ21と第１フランジ11とが上方にくるように配置し、２つの半円筒部材20aにより、第１グロメット10を両側から挟む。一方の半円筒部材20aの突部28aを、他方の半円筒部材20aの凹部28bにはめ込んで、２つの半円筒部材20aの円周方向端面29を合わせて第２グロメット20を組み立てる。このとき、第１グロメット10の球状部13が、第２グロメット20の球状空間部23に収容される。
図２２のＣ−Ｃ断面図である図２５に示すように、球状空間部23の突起23bは、球状部13のくぼみ13aのいずれかに係合する。
【００５０】
次に、第２グロメット20と、第１グロメット10とを組み立てたものに、第３グロメット30を組み立てる。第２グロメット20の第２フランジ21と、第３グロメット30の第３フランジ31とが上方になるように配置する。第３グロメット30の第３フランジ31の側から、第２グロメット20の端部テーパ部25を先頭にして、第２グロメット20と第１グロメット10を挿入していく。第３グロメット30の雌ねじ部37に、第２グロメット20の雄ねじ部27が当接する。
【００５１】
第２グロメット20の第２フランジ21を回転させると、雌ねじ部37に雄ねじ部27がさらに係合し、第２グロメット20は中心軸下方に移動していく。
第２フランジ21の下面が、第３フランジ31の上面に当接すると、第２グロメット20はそれ以上軸方向に進まなくなる。
取付部材51と被取付部材52との間隔が最適になるように、第２グロメット20の軸方向の位置を決める。グロメット組立体を組み立てた段階では、第３円筒部32と第２円筒部22の外径は、広がっていない。
【００５２】
２つの半円筒部材20aで、第１グロメット10を両側から挟むので、球状部13が球状空間部23に入った状態で組み立てることが出来る。
その後、円筒状の第３グロメット30で、第２グロメット20の円筒部22の周りを囲むので、球状空間部23は容易には広がらなくなり、球状部13が外れることはなくなる。
グロメット組立体が組み立てられた後、第３グロメット30に対して第２グロメット20を回転させて、第３グロメット30の雌ねじ部37と、第２グロメット20の雄ねじ部27との係合位置を変えることができる。こうして、第３グロメット30に対する第２グロメット20の軸方向位置を調節し、取付部材51と被取付部材52との隙間に対応するようにする。
【００５３】
また、被取付部材52に対して取付部材51が傾くことが分かっている場合は、球状空間部23に対して球状部33を傾斜させて、第１グロメット10を第２グロメット20に対して傾斜させ、取付部材51の傾きに対応するようにする。
【００５４】
（取付部材の取り付け）
図２７、２８は、取付部材を被取付部材に取付けた状態を示す断面図である。図２７は、取付部材51の取付孔53と被取付部材52の取付孔54とが合っている場合である。即ち、取付部材51と被取付部材52は平行であり、取付孔53の軸線と、取付孔54の軸線とは一致している。
【００５５】
第１グロメット10と第２グロメット20と第３グロメット30とを組み立てたグロメット組立体を、被取付部材52の取付孔54に挿入する。取付孔54の内径は、第３グロメット30の第３円筒部32の外径と等しいか又は若干大きい。第３円筒部32を挿入していくと、第３フランジ31の下面が、被取付部材52の取付孔54の周りの面に当接して、グロメット組立体がセットされる。
【００５６】
次に、取付部材51の取付孔53の位置が、第１フランジ11の第１貫通孔h10の位置と合うように、取付部材51を配置する。
ピン40のピンテーパ部45が、取付部材51の取付孔53の位置と合うように、ピン40を配置する。ピンテーパ部45を先頭にして、取付孔53を通って、第１貫通孔h10にピン40を挿入していく。ピン40のピンテーパ部45は、第１フランジ11の内側と、第１円筒部12の内側を若干押し広げながら下方へ進む。
【００５７】
ピン40のピンテーパ部45が、第１傾斜部14に当接すると、第１傾斜部14を押し広げて進む。これに伴い、第１グロメット10の球状部13が、半径方向外方向に押し広げられ、第２グロメット20の第２円筒部22が、球状部13に押されて半径方向外方向に押し広げられ、第３グロメット30の第３円筒部32も、第２円筒部22に押されて半径方向外方向に押し広げられる。
【００５８】
ピン40のピンテーパ部45と径大部44とが球状部13の下側に出ると、第１グロメット10の球状部13の内側の細孔部15と第１傾斜部14とは、ピン40の遷移部43に当接し、少し間隔を狭める。径大部44の上端の段部44aが、第１グロメット10の球状部13の下端部13cに当接する。径大部44の段部44aと、球状部13の下端部13cとは、共に中心軸に垂直な平面なので、ピン40は抜け止めされる。
【００５９】
ピン40の径大部44が球状部13の下側に出ると、第３円筒部32と第２円筒部22の外径は、少し小さくなるが、当初の外径よりは広がったままである。被取付部材52の取付孔54の外周部は、第３グロメット30の第３フランジ31の下面と、拡径した第３円筒部32との間に挟まれて固定される。
取付部材51は、ピン40のピンフランジ41の下面と、第１グロメット10の第１フランジ11の上面との間に挟まれて固定される。
【００６０】
図２８は、取付部材を被取付部材に取付けた状態を示す断面図であり、取付部材51の取付孔53と被取付部材52の取付孔54とが合っていない場合である。即ち、取付部材51と被取付部材52は平行でなく、取付孔53の軸線と、取付孔54の軸線とは一致していない。この場合のクリップ1の取り付け方は、図２７に示す取付孔53と取付孔54とが合っている場合と同様である。
グロメット組立体にピン40挿入する前の段階で、第３グロメット30に対して第２グロメット20を回転させて、第３グロメット30に対する第２グロメット20の軸方向位置を調節し、取付部材51と被取付部材52の隙間の距離に対応するようにすることが出来る。
【００６１】
また、バラツキ等により被取付部材52に対して取付部材51が傾いている場合は、取付部材51に直角方向の軸線に沿って、第１グロメット10の軸線を傾かせておいてピン40を挿入することが出来る。
又は、第１グロメット10の軸線を傾かせておかなくても、ピン40を傾いた方向から挿入することにより、第１グロメット10が傾いて、球状部13が回転移動し、ピン40が挿入される。ピン40が挿入されると、球状部13が広がり、第２円筒部22と第３円筒部32とが拡径し、第１グロメット10は傾いた状態で固定される。
【００６２】
本発明の実施形態によれば、第２グロメット20の第２円筒部22の外周部には、雄ねじ部27が設けられ、第３グロメット30の第３円筒部32の内周部には、雄ねじ部27と係合する雌ねじ部37が設けられている。雄ねじ部27と雌ねじ部37との係合位置を変えることにより、第３グロメット30に対する第２グロメット20の軸方向の相対位置を変えることが出来る。第１グロメット10の球状部13は、第２グロメット20の球状空間部23に収容されているので、第２グロメット20に対する第１グロメット10の軸方向の相対位置は変えられない。そのため、第３グロメット30の第３フランジ31の下面に当接する被取付部材52と、第１グロメット10の第１フランジ11の上面に当接する取付部材51との間隔を調節することが出来る。
【００６３】
本発明の実施形態によれば、第２グロメット20の球状空間部23の内側に、第１グロメット10の球状の球状部13を保持し、取付前は、球状空間部23内で球状部13を相対的に回転移動させることができる。球状部13を回転移動させることにより、第２グロメット20に対して、第１グロメット10を傾けることが出来る。第１グロメット10とピン40とは、取付部材51を保持するので、取付部材51と被取付部材52とが平行でなくても、第１グロメット10とピン40とを傾けることにより、取付部材51に取り付けることが出来る。
【００６４】
また、被取付部材52の取付孔54に対して、取付部材51の取付孔53が水平方向にずれていても、ピン40のピンフランジ41直下の円柱部42の外径を取付部材51の取付孔53の内径より十分小さくしておけば、そのずれを吸収することが出来る。
【００６５】
第１グロメット10の球状部13の外面には多数のくぼみ13aが設けられ、第２グロメット20の球状空間部23の内面には突起23bが設けられ、突起23bをくぼみ13aに嵌合させることにより、球状部13は球状空間部23内で回転しないように固定することが出来る。グロメット組立体にピン40を係合させて固定した後は、第１グロメット10の球状部13と第２グロメット20の第2円筒部22と、第３グロメット30の第３円筒部32とは、ピン40により、拡径される。球状部13の外面は球状空間部23の内面に強く押し付けられるので、球状部13は球状空間部23内で動かないように固定される。そのため、被取付部材52に取付部材51を取り付けた後は、取付位置の位置ずれは起こりにくい。
【符号の説明】
【００６６】
1  クリップ
10  第１グロメット
11  第１フランジ
12  第１円筒部
12a  筒部
13  球状部
13a  くぼみ
13c  下端部
14  第１傾斜部
15  細孔部
16  第１縦スリット
h10  第１貫通孔
20  第２グロメット
20a  半円筒部材
21  第２フランジ
22  第２円筒部
23  球状空間部
23b  突起
24  第２傾斜部
25  端部テーパ部
26  第２縦スリット
27  ねじ部
28a  突部
28b  凹部
29  円周方向端面
30  第３グロメット
31  第３フランジ
32  第３円筒部
36  第３縦スリット
37  雌ねじ部
h30  第３貫通孔
40  ピン
41  ピンフランジ
42  円柱部
43  遷移部
44  径大部
44a  段部
45  ピンテーパ部
51  取付部材
52  被取付部材
53  取付孔（取付部材）
54  取付孔（被取付部材）
【図１】
2015096760.tif 000003
【図２】
2015096760.tif 000004
【図３】
2015096760.tif 000005
【図４】
2015096760.tif 000006
【図５】
2015096760.tif 000007
【図６】
2015096760.tif 000008
【図７】
2015096760.tif 000009
【図８】
2015096760.tif 000010
【図９】
2015096760.tif 000011
【図１０】
2015096760.tif 000012
【図１１】
2015096760.tif 000013
【図１２】
2015096760.tif 000014
【図１３】
2015096760.tif 000015
【図１４】
2015096760.tif 000016
【図１５】
2015096760.tif 000017
【図１６】
2015096760.tif 000018
【図１７】
2015096760.tif 000019
【図１８】
2015096760.tif 000020
【図１９】
2015096760.tif 000021
【図２０】
2015096760.tif 000022
【図２１】
2015096760.tif 000023
【図２２】
2015096760.tif 000024
【図２３】
2015096760.tif 000025
【図２４】
2015096760.tif 000026
【図２５】
2015096760.tif 000027
【図２６】
2015096760.tif 000028
【図２７】
2015096760.tif 000029
【図２８】
2015096760.tif 000030